(57)【特許請求の範囲】
【請求項１】
加熱に対する保護を備えるサージ電圧避雷器であって、
１つの第１の電位を前記サージ電圧避雷器に印加するための１つの電極（１０）と、
１つの第２の電位を前記サージ電圧避雷器に印加するための１つの第２の電極（２０）と、
前記第１の電極（１０）と前記第２の電極（２０）とを短絡するための１つの短絡ヨーク（３０）と、
前記短絡ヨーク（３０）を保持するための１つの保持部材（４０）と、
１つの空洞体（５０）であって、当該空洞体の１つの第１の開口部（５１）と１つの第２の開口部（５２）との間の１つの空洞（５３）を有する空洞体と、
を備え、
前記保持部材（４０）は、１つの閾値より下の温度で、前記短絡ヨーク（３０）を、前記第１および第２の電極（１０，２０）に対して１つの距離に保持し、温度が前記閾値を越える際には、当該短絡ヨーク（３０）が前記第１および第２の電極（１０，２０）に対して押圧され、これによって当該第１および第２の電極（１０，２０）間で短絡が発生するように構成されており、
前記短絡ヨーク（３０）は、前記第１の電極（１０）と前記第２の電極（２０）との間の経路を架橋するための架橋領域（３１）を備え、
前記保持部材（４０）は、前記空洞体（５０）に接する１つの領域（４１）を備え、
前記保持部材（４０）は、前記空洞体に接する領域（４１）に続いている、曲げられた領域（４２）を備え、当該曲げられた領域は、前記空洞体（５０）の表面から離れるように曲げられており、かつ前記短絡ヨーク（３０）の架橋領域（３１）に向かって曲げられており、
前記保持部材（４０）は、前記曲げられた領域（４２）に続いている支持領域（４３）を備え、温度が前記閾値より下にある場合、当該支持領域に、前記短絡ヨーク（３０）の前記架橋領域（３１）が前記保持部材（４０）上に戴置される、
ことを特徴とするサージ電圧避雷器。
【請求項２】
請求項１に記載のサージ電圧避雷器において、
前記短絡ヨーク（３０）および前記保持部材（４０）は、少なくとも当該短絡ヨークおよび当該保持部材の１つの部分で互いに堅く結合されていることを特徴とするサージ電圧避雷器。
【請求項３】
請求項１または２に記載のサージ電圧避雷器において、
前記空洞（５３）が気密に封止されるように、前記第１の開口部（５１）は、前記第１の電極（１０）によって覆われており、前記第２の開口部（５２）は、前記第２の電極（２０）によって覆われている、
ことを特徴とするサージ電圧避雷器。
【請求項４】
前記保持部材（４０）は、前記空洞体（５０）に固定されていることを特徴とする、請求項３に記載のサージ電圧避雷器。
【請求項５】
前記保持部材（４０）は、１つのバイメタルからなる材料を有することを特徴とする、請求項１乃至４のいずれか１項に記載のサージ電圧避雷器。
【請求項６】
請求項１乃至５のいずれか１項に記載のサージ電圧避雷器において、
前記短絡ヨーク（３０）は、温度が前記閾値より下にある場合に、前記架橋領域（３１）が１つの機械的張力下で静止して、前記第１および第２の電極（１０，２０）に対して間隔を保つように前記保持部材（４０）によって保持されている、
ことを特徴とするサージ電圧避雷器。
【請求項７】
請求項６に記載のサージ電圧避雷器において、
前記架橋領域（３１）は、１つの第１の端部部分（３１１）および１つの第２の端部部分（３１２）と、当該第１の端部部分と当該第２の端部部分との間に配設されている中間部分（３１３）とを備え、
前記架橋領域（３１）の前記第１および第２の端部部分（３１１，３１２）は、前記架橋領域（３１）の前記中間部分（３１３）が配設されている１つのレベル面から離れるように曲げられており、かつ前記第１および第２の電極（１０，２０）の方向に曲げられている、
ことを特徴とするサージ電圧避雷器。
【請求項８】
請求項７に記載のサージ電圧避雷器において、
前記保持部材（４０）は、温度が前記閾値を越える場合に、前記曲げられた領域（４２）および／または前記保持部材（４０）の前記支持領域（４３）の少なくとも１つが、前記短絡ヨーク（３０）の前記架橋領域（３１）に対して曲がり、前記短絡ヨーク（３０）の前記架橋領域（３１）が前記保持部材（４０）の前記支持領域（４３）から外れ、かつ前記第１および第２の電極（１０，２０）に対して押圧されることによって、前記第１の電極（１０）と前記第２の電極（２０）との間に短絡が生成される、
ことを特徴とするサージ電圧避雷器。
【請求項９】
請求項１乃至８のいずれか１項に記載のサージ電圧避雷器において、
前記短絡ヨーク（３０）は、前記短絡ヨークの前記架橋領域（３１）が保持されている１つの保持領域（３２）を備え、
前記短絡ヨークの前記保持領域（３２）は、前記空洞体の表面に当接する１つの当接部（３２３）と、前記空洞体（５０）の表面に接している前記保持部材（４０）の領域（４１）に固定されている１つの固定部（３２４）と、前記短絡ヨークの前記架橋領域が配設されている１つの端部（３２５）とを備え、
前記短絡ヨーク（３０）は、温度が前記閾値より下にある場合、前記当接部（３２３）と前記保持領域（３２）の端部（３２５）との間で、前記短絡ヨークの前記架橋領域（３１）が機械的張力によって前記保持部材（４０）の支持領域（４３）に対して押圧されるように曲げられている、
ことを特徴とするサージ電圧避雷器。
【請求項１０】
請求項９に記載のサージ電圧避雷器において、
前記空洞体（５０）は、１つのセラミック材料から成る１つの第１の部分体（５４）および１つの第２の部分体（５５）と、１つの金属リング（５６）とを備え、
前記第１の部分体（５４）は、前記空洞体（５０）の前記第１の開口部（５１）およびもう１つの開口部（５７）を備え、
前記第２の部分体（５５）は、前記空洞体（５０）の前記第２の開口部（５２）およびもう１つの開口部（５８）を備え、
前記金属リング（５６）は、前記第１の部分体（５４）の前記もう１つの開口部（５７）と、前記第２の部分体（５５）の前記もう１つの開口部（５８）との間に配設されており、
前記空洞体（５０）の接する前記保持部材の領域（４１）は、前記空洞体の前記金属リングに接している、
ことを特徴とするサージ電圧避雷器。
【請求項１１】
前記保持部材（４０）は、前記空洞体（５０）の前記金属リングと堅く結合されていることを特徴とする、請求項１０に記載のサージ電圧避雷器。
【請求項１２】
請求項１０または１１に記載のサージ電圧避雷器において、
前記金属リング（５６）は、前記第１および第２の部分体（５４，５５）より大きな外径を備えることによって、前記金属リング（５６）の縁部（５６０）が、前記第１および第２の部分体（５４，５５）の表面から突出している、
ことを特徴するサージ電圧避雷器。
【請求項１３】
請求項１２に記載のサージ電圧避雷器において、
前記短絡ヨークの前記保持領域（３２）は、１つの第１の結合バー（３２１）と、当該第１の結合バーに対して１つの間隙幅で離間した、１つの第２の結合バー（３２２）とを備え、
前記短絡ヨーク（３０）は、前記空洞体の前記金属リング（５６）および前記保持部材（４０）が、前記短絡ヨーク（３０）の前記保持領域（３２）の前記第１の結合バー（３２１）と前記第２の結合バー（３２２）との間に配設されるように、前記空洞体（５０）に配設されている、
ことを特徴とするサージ電圧避雷器。
【請求項１４】
請求項１０乃至１３のいずれか１項に記載のサージ電圧避雷器において、
前記金属リング（５６）は、前記サージ電圧避雷器の第３の電極として構成されており、
前記サージ電圧避雷器は、１つの３電極避雷器として構成されている、
ことを特徴とするサージ電圧避雷器。
【発明の詳細な説明】
【技術分野】
【０００１】
本発明は、加熱に対する保護を有するサージ電圧避雷器（Ueberspannungsableiter）に関し、このサージ電圧避雷器の１つの温度の閾値を越えた時に加熱に対する保護を行なうサージ電圧避雷器に関する。
【背景技術】
【０００２】
サージ電圧避雷器は、電気配線または装置における危険な過電圧を制限するために使用される。小型装置の保護用にはしばしばガス充填されたサージ電圧避雷器が使用される。ガス充填サージ電圧避雷器は、通常セラミック材料から成る小チューブから成っており、この小チューブは、その両側の開放された側部で、それぞれ１つの電極によって気密に封止されている。このセラミックの小チューブの内部には、１つの希ガスが存在している。この希ガスは、この避雷器の電極（複数）の間に印加される電圧では、１つの閾値より下では、大きな抵抗を示し、これよりこの避雷器によって電流は全く流れない。これらの電極に印加される電圧が、点火電圧のレベルを越えると、この避雷器の抵抗は数マイクロ秒以内に非常に小さな値に低下する。この避雷器のこの点火状態においては、数キロアンペアに達するピーク電流を逃がすことができる。
【０００３】
この避雷器の点火後、この避雷器の内部にある希ガス雰囲気を通って、上記の２つの電極間に電流が流れる。何時この避雷器が点火するかは、その希ガスの種類，そのガス圧，および上記の電極（複数）の間隔によって決定される。この避雷器を通って流れる大きな電流によって、この避雷器にはその点火状態において発熱が起こる。この避雷器に印加される駆動電圧がアーク放電電圧（Bogenbrennspannung）より下に低下すると、すなわちこの避雷器を通って流れる電流が所定のレベルより低下すると、この避雷器は消弧し、その内部抵抗は、その元の動作状態の数百ＭΩに再び上昇する。
【０００４】
ある電気的な条件下では、サージ電圧避雷器は、これが点火した後、しかしながら再び非導通状態に戻らない。この状態は、たとえばこの避雷器の電極間に上記の点火電圧より上の電圧が恒久的に印加される場合に起こる。ここでこの避雷器を通って長時間流れる大きな電流レベルの電流は、この避雷器およびその周囲が甚だしく加熱されるという結果をもたらし得る。この避雷器が適時に消弧しない場合、これは最終的に、それ自身を破壊するように高温となり得、あるいはその周囲、たとえば回路基板上でその周囲にあるデバイスが破壊されるように甚だしく加熱され得る。極端な加熱の場合には、この避雷器の周囲の発火さえ起こり得る。これを避けるため、このサージ電圧避雷器は適時に消弧して、この避雷器およびその周囲の過熱が避け得ることが保証されていなければならない。
【発明の概要】
【発明が解決しようとする課題】
【０００５】
本発明の目的は、加熱に対する保護を有するサージ電圧避雷器を提供することであり、このサージ電圧避雷器では、１つの温度の閾値を越える際に、この避雷器が過熱の結果速やかにかつ信頼性良く消弧することが保証されている。
【課題を解決するための手段】
【０００６】
加熱に対する保護を有するサージ電圧避雷器の１つの実施形態が本願の請求項１に開示されている。１つの可能な実施形態によれば、本発明による、加熱に対する保護を有するサージ電圧避雷器は、１つの第１の電位をこのサージ電圧避雷器に印加するための１つの第１の電極と、１つの第２の電位をこのサージ電圧避雷器に印加するための１つの第２の電極と、これらの第１および第２の電極の短絡のための１つの短絡ヨーク(Kurzschlussbuegel)と、この短絡ヨークの保持のための保持部材とを備える。この保持部材は、１つの閾値より下の温度で、上記の短絡ヨークを、上記の第１および第２の電極に対して１つの距離に保持し、この温度の閾値を越える際には、この短絡ヨークがこれらの第１および第２の電極に対して押圧され、これによってこれら第１および第２の電極間で短絡が発生するように構成されている。
【０００７】
本発明によるサージ電圧避雷器は、上記の短絡ヨークおよび保持部材のために、１つの機械的な短絡機構を備え、この機械的な短絡機構によって、このサージ電圧避雷器は高くなった温度で短絡され、これよりこの避雷器自体も、またその周囲も過剰な加熱を防ぐことができる。この保持部材は、ヨーク形状に湾曲した１つの領域および、この短絡ヨークが上記の温度の閾値より下にある場合に戴置される１つの支持領域を備える。上記の短絡ヨークは、これが１つの機械的張力によって、この支持領域に静止して戴置されるように形成されていてよい。
【０００８】
上記の温度の閾値を越えた場合、この短絡ヨークが上記の保持部材の支持領域から外れるように、この保持部材の材料が膨張する。この保持部材は、短絡ヨークを解放し、これよりこの短絡ヨークはその機械的な予圧のおかげで、上記の第１および第２の電極に対して押圧され、そしてこれら第１および第２の電極の短絡が引き起こされる。このためこの保持部材は、加熱した際に様々に膨張し、これよりこの保持部材、具体的には上記の保持部材の湾曲した部分が、元々の状態に対して曲がるような材料を有している。この保持部材は、たとえば１つのバイメタルを有してよい。
【０００９】
１つの実施形態によれば、本発明によるサージ電圧避雷器は、１つの空洞を有する１つの空洞体を備え、この空洞体は開放された両端部で、上記の第１および第２の電極によって気密に封止されている。この空洞の内部には１つの希ガスが存在してよい。上記の短絡ヨークおよび上記の保持部材は、少なくともそれらの１つの部分で互いに堅く結合されていてよく、こうして保持部材および短絡ヨークから成る短絡機構は１つの単一の部品のみから成っている。
【００１０】
上記の短絡ヨークおよび上記の保持部材は、たとえば１つの部位で互いに溶接されていてよい。上記の短絡ヨークおよび上記の保持部材は、上記のサージ電圧避雷器の空洞体に固定されていてよい。上記で説明したように、ここでこの短絡ヨークは、上記の支持領域への１つの予圧を用いることで、この避雷器の温度が上記の閾値の下にある限り、上記の第１および第２の電極に対して１つの距離を保持するように、変形すなわち湾曲されていてよい。上記の温度の閾値を越える際には、この保持部材すなわちこの保持部材の支持領域が移動して、機械的な張力によって静止している上記の短絡ヨークが直ちに解放され、こうしてこの避雷器の第１および第２の電極の間の経路が極めて高速に架橋されるようにする。この高速に閉じられるコンタクト部によって、これらの電極が接近した際の火花放電（Funkenueberschlaege）を防止することができ、これにより材料の焼失を防止することができる。
【００１１】
この短絡ヨークおよび保持部材から成る短絡機構は、具体的には１つの３電極避雷器の一部として、この３電極避雷器の空洞体に取り付けられていてよい。この３電極避雷器としての実施形態では、この空洞体は、１つの第１の部分体および１つの第２の部分体、ならびにこれら２つの部分体の間に配設されている１つの金属リングを備え、この金属リングは第３の電極を構成している。この短絡ヨークは、上記の保持部材の１つの部位に固定されており、この保持部材はこの金属リング上に配設されている。温度の閾値を越えた後の、この短絡ヨークの解放の際には、この短絡ヨークは、上記の第１および第２の電極を短絡し、こうしてこの第１，第２，および第３の電極は互いに導通して接続されている。
【００１２】
本発明が、以下の本発明の実施形態を示す図を参照して詳細に説明される。
【図面の簡単な説明】
【００１３】
【図１】加熱に対する保護を備える１つのサージ電圧避雷器の１つの実施形態の、短絡機構が始動する前の状態の縦断面図を示す。
【図２】加熱に対する保護を備える１つのサージ電圧避雷器の１つの実施形態の、短絡機構が始動するまえの状態の横断面図を示す。
【図３】加熱に対する保護を備える１つのサージ電圧避雷器の１つの実施形態の、短絡機構が始動した後の状態の縦断面図を示す。
【図４】加熱に対する保護を備える１つのサージ電圧避雷器の１つの実施形態の、短絡機構が始動した後の状態の横断面図を示す。
【００１４】
図１は、１つの短絡機構を用いた、加熱に対する保護を有する１つのサージ電圧避雷器１の縦断面図を示し、図２はこれに対応する横断面図を示す。この短絡機構により、この避雷器は高くなった温度で短絡することができ、こうしてこの避雷器部品のさらなる、また過度の過熱を防止することができる。サージ電圧避雷器１は、１つの第１の電位をこの避雷器に印加するための１つの電極１０および、１つの第２の電位をこの避雷器に印加するための１つの第２の電極２０を備える。これらの第１および第２の電極１０，２０は、この避雷器の空洞体５０の開放された側部に配設されている。空洞体５０は、この空洞体の１つの第１の開口部５１と、１つの第２の開口部５２との間に、１つの空洞５３を備える。この空洞体５０は、たとえば１つのセラミック材料から成る１つの小管として形成されていてよい。
【００１５】
空洞体５０の第１の開口部５１は、第１の電極１０によって覆われている。空洞体５０の第２の開口部５２は、第２の電極２０によって覆われている。これらの第１および第２の電極１０，２０は、空洞５３がこれらの第１および第２の電極によって気密に封止されるように、空洞体の開放された側部５１，５２に配設されている。この空洞５３には、１つのガス、たとえば１つの希ガスが存在してよい。電極１０は、上記の第１の電位をこの避雷器に印加するための１つの導電体２と結合されている。第２の電極２０には、上記の第２の電位をこの避雷器に印加するための１つの導電体３が配設されている。
【００１６】
これらの図１および２に示した実施形態では、サージ電圧避雷器は、いわゆる３電極避雷器として構成されている。この実施形態では、空洞体５０は、それぞれ１つのセラミック材料から成る、中空円筒として形成されている１つの第１の部分体５４と、空洞体として形成されている１つの第２の部分体５５とを備え、さらにこの避雷器の第３の電極を構成している１つの金属リング５６を備える。この避雷器の第３の電極５６には、１つの第３の電位を供給するための１つの配線４が配設されている。図１および２に示した３電極避雷器の実施形態では、たとえばこの第３の電極にはアース電位すなわちグラウンド電位が印加されている。
【００１７】
空洞体５０の第１の部分体５４は、第１の電極１０によって覆われている第１の開口部５１ならびにもう１つの開口部５７を備える。この空洞体５０の第２の部分体５５は、第２の電極２０によって覆われているこの空洞体の第２の開口部５２を備え、さらにもう１つの開口部５８を備える。金属リング５６は、上記の第１の部分体５４のもう１つの開口部５７と、上記の第２の部分体５５のもう１つの開口部５８との間に配設されている。このようにして第１の開口部５１と第２の開口部５２との間には、連続した空洞が存在している。
【００１８】
これらの第１および第２の部分体５４，５５は、同じ外径を有してよい。上記のサージ電圧避雷器の第３の電極を構成する金属リング５６は、これらの第１および第２の部分体５４，５５より大きな外径を有してよい。以上によりこの金属リング５６の縁部５６０は、第１および第２の部分体５４，５５の平坦な表面から突出している。この金属リング５６の内径は、第１および第２の部分体の内径より小さくなっていてよく、こうしてこの空洞体５０の内径は、この金属リングすなわち第３の電極５６の領域において、第１および第２の部分体５４，５５の領域での内径より小さくなっているようにされる。
【００１９】
図１および２に示したガス充填されたサージ電圧避雷器１は、アーク放電の気体物理的原理にしたがって動作する。電気的には、このサージ電圧避雷器は電圧依存のスイッチのように振る舞う。上記の第１の電極と上記の第２の電極あるいは上記の第３の電極との間、あるいは上記の第２の電極と上記の第１の電極あるいは上記の第３の電極との間に印加された電圧が点火電圧すなわち応答電圧（Ansprechspannung）のレベルえを越えるとすぐに、秒以下の僅かな時間内に、この避雷器のガス気密な放電空間５３にアーク放電（Lichtbogen）が生成される。
【００２０】
その大きな電流定格およびその電流に殆ど依存しないアーク放電の点火電圧によって、上記の第１の電極と第２の電極との間に印加されるサージ電圧が短絡される。減少しつつあるサージ電圧では、アーク放電における電流は、このアーク放電を維持するのに必要な、この避雷器の最小電流のレベルを下回るまで減少する。くすぶり段階（Glimmphase）が完了した後、このアーク放電は途切れ、避雷器は消弧する。この避雷器の内部抵抗は、再び数１００ＭΩを有する初期動作状態になる。
【００２１】
このサージ電圧避雷器の電極（複数）の間に、上記の点火電圧より上の、大きな電圧レベルが恒久的に印加されると、このサージ電圧避雷器は、点火した後に再び非導通状態に元らないようなことが起こる。第１の電極１０と第２の電極２０との間、または上記の３電極避雷器の場合においては、この避雷器の第１あるいは第２の電極１０，２０と第３の電極３０との間に流れる電流の高い電流レベルによって、この避雷器に過大な加熱が起こり、この加熱によってこの避雷器は破壊されるかまたは発火しかねない。
【００２２】
このサージ電圧避雷器の過度の過熱を防止するため、このサージ電圧避雷器は、第１の電極１０と第２の電極２０との間を短絡するための、１つの機械的な短絡機構を１つの短絡ヨーク３０の形態で備え、またこの短絡ヨーク３０を保持するための１つの保持部材４０を備える。図１および２に示した、３電極避雷器の実施形態では、この短絡ヨーク３０は、第１の電極１０，第２の電極２０，および第３の電極３０を短絡するために構成されている。この短絡ヨーク３０は、この避雷器の温度が上記の閾値より低い限り、この短絡ヨークが１つの機械的張力により、上記の保持部材４０に対して押し付けられて静止しているように形成されている。保持部材４０は、これが上記の温度の閾値より低い温度の場合に、その機械的予圧のおかげでこの保持部材に対して押圧される短絡ヨーク３０を、第１および第２の電極１０，２０に対して１つの間隔で保持するように構成されている。
【００２３】
図３は、上記の短絡機構が作動した後の、図１に示したサージ電圧避雷器の縦断面を示す。図４は、上記の短絡機構が作動した後の、この図３のサージ電圧避雷器の横断面図を示す。保持部材４０は、温度が上記の閾値を越える場合にこの保持部材が短絡ヨーク３０に対して変位して、この短絡ヨーク３０が解放され、そしてその機械的張力のおかげで上記の第１および第２の電極に対して押圧されるように構成されている。こうしてこの短絡ヨークは、上記の第１および第２の電極間の低抵抗の接続を形成する。以上により第１の電極１０と第２の電極２０との間に短絡が生成される。
【００２４】
短絡ヨーク３０は、第１の電極１０と第２の電極２０との間の経路を架橋するための架橋領域３１を備える。短絡ヨーク３０および保持部材４０は、この避雷器の温度が上記の温度の閾値より下にある場合に、この短絡ヨークの架橋領域３１が１つの機械的張力下で静止して、第１および第２の電極１０，２０に対して間隔を保つように、保持部材４０によって保持されるように構成することができる。
【００２５】
短絡ヨーク３０の架橋領域３１は、１つの第１の端部部分３１１および１つの第２の端部部分３１２、ならびにこれらの第１の端部部分３１１と第２の端部部分３１２との間に配設されている中間部分３１３を備える。上記の短絡ヨークの架橋領域３１の第１および第２の端部部分３１１，３１２は、この短絡ヨークの架橋領域３１の中間部分３１３が配設されている１つのレベル面から離れるように曲げられており、そして上記の第１および第２の電極１０，２０の方向に曲げられている。この架橋領域３１は、低抵抗の材料を有し、こうしてこの架橋領域は、電極１０と電極２０との間の経路を短絡する。
【００２６】
本発明によるサージ電圧避雷器１の１つの可能な実施形態によれば、保持部材４０は、空洞体５０に接する１つの領域４１を備える。この保持部材４０の領域４１は、たとえば空洞体５０の周りの約１／４に接していてよい。さらにこの保持部材４１は、この領域４１に続いている曲げられた領域４２を備え、この曲げられた領域は、空洞体５０の表面から離れるように曲げられ、そして上記の短絡ヨーク３０の架橋領域３１に向かって曲げられている。さらに加えてこの保持部材４０は、上記の曲げられた領域４２に続いている支持領域４３を備え、温度が上記の閾値より下にある場合、この支持領域に、上記の短絡ヨーク３０の架橋領域３１が保持部材４０上に戴置される。この支持領域４３は、上記の曲げられた領域４２に対して、より大きな面を備えてよい。この支持領域４３は、本発明によるサージ電圧避雷器のもう１つの実施形態では、上記の曲げられた領域４２の単に１つの延長部として形成されていてよい。
【００２７】
１つの可能な実施形態によれば、保持部材４０は、上記の温度の閾値を越える場合に、上記の曲げられた領域４２および／または少なくともこの保持部材４０の支持領域４３が、この短絡ヨーク３０の架橋部３１が上記の保持部材４０の支持領域４３から外れ、そしてその機械的な予圧のおかげで上記の第１および第２の電極１０，２０に対して押圧されて、上記の短絡ヨーク３０の架橋部３１に向かって曲がるように構成されていてよい。
【００２８】
保持部材４０は、たとえば１つのワイヤヨーク（Drahtbuegel）として形成されていてよく、上記の短絡機構が解除された場合に、上記の短絡ヨークの架橋領域３１がこのワイヤヨークの支持領域４３上に戴置され、こうしてこの短絡ヨークの架橋領域は、上記の第１および第２の電極１０，２０に対して離間して配設されている。この保持部材４０は、たとえば１つのバイメタルから成る１つの材料を有してよい。以上により、上記の温度の閾値を越える場合、この保持部材４０の曲がりが起こり、これによって上記の短絡ヨークが解放され、そして上記の架橋領域３１が上記の短絡ヨークの機械的予圧により、速やかにこのサージ電圧避雷器の上記の電極（複数）に対して留められる。
【００２９】
本発明によるサージ電圧避雷器の１つの可能な実施形態によれば、短絡ヨーク３０は、１つの保持領域３２を備えてよく、この保持領域にこの短絡ヨークの架橋部３１が配設されている。この短絡ヨークの保持領域３２は、空洞体５０の表面に当接する１つの当接部３２３を備えてよい。さらにこの短絡ヨークの保持領域３２は、１つの固定部３２４を備えてよく、この固定部は、この空洞体５０の表面に接している保持部材４０の領域４１に固定されている。この固定部３２４には、保持部材４０を用いて、短絡ヨーク３０が堅く結合されている。上記の短絡ヨークは、たとえばこの固定部３２４で保持部材に、具体的には空洞体５０に接しているこの保持部材４０の領域４１で溶接されていてよい。上記の短絡ヨークは、この固定部３２４で空洞体５０に接してよい。
【００３０】
上記の短絡ヨークの保持領域３２は、さらに１つの端部３２５を備えてよく、この端部には上記の短絡ヨークの架橋部３１が配設されている。この短絡ヨークの架橋部３１は、たとえば１つのワイヤまたは１つのプレートとして構成されていてよく、これは上記の保持領域の端部３２５に続いている。上記の短絡ヨークの架橋部３１は、たとえば上記の短絡ヨークの保持領域の端部３２５にはんだ付けまたは溶接されていてよい。上記の短絡ヨークの架橋部３１は、たとえば上記の保持領域３２に直角に配設されていてよい。
【００３１】
上記の短絡ヨーク３０は、上記の当接部３２３と固定部３２４との間の部分が上記の空洞体５０から離れるように曲げられて、この空洞体に対して離間するように曲げられていてよく、こうしてこの領域はこの空洞体に接していない。さらに上記の短絡ヨーク３０は、上記の端部３２５ならびに、この端部３２５と上記の固定部３２４との間の部分が、上記の保持部材４０の領域４１から離間しているように曲げられていてよい。
【００３２】
上記の短絡ヨーク３０は、温度が上記の閾値より下にある場合、上記の当接部３２３と上記の保持領域３２の端部３２５との間で、上記の短絡ヨークの架橋部３１が機械的張力によって上記の保持部材４０の支持領域４３に対して静止して押圧されるように曲げられている。上記の短絡ヨークの保持領域３２は、１つのワイヤとして形成されていてよく、このワイヤは、図１〜４に示すように、空洞体５０の周りで曲げられている。上記の保持領域３２は、たとえばＣ形状で上記の空洞体の周りで曲げられていてよい。上記の短絡ヨークの保持領域３２は、上記の固定部３２４で空洞体５０に接してよい。
【００３３】
上記の３電極避雷器のサージ電圧避雷器の実施形態では、上記の保持部材４０の領域４１は、上記の空洞体５０の金属リング５６上に接しており、この金属リングはこの避雷器の第３の電極を構成している。図２及び４を参照して示したように、上記の保持部材４０の領域４１は、上記の空洞体５０の金属リング５６の周囲の約１／４に接している。この保持部材４０は、この領域４１で上記の空洞体５０と、具体的には上記の金属リング５６と堅く結合されている。この保持部材４０の領域４１は、たとえば上記の３電極避雷器の実施形態では、上記の金属リング５６に溶接されていてよい。
【００３４】
この本発明によるサージ電圧避雷器の３電極避雷器としての実施形態では、上記の短絡ヨーク３０の保持領域３２は、固定部３２４で上記の第３の電極５６に接する上記の保持部材の領域４１と結合されている。以上により上記の短絡ヨークは、上記の第３の電極５６と電気的に導通して接続されている。温度の閾値を越えると、上記の曲げられた領域４２および／または上記の保持部材４０の支持領域４３は、上記の短絡ヨーク３０の架橋部３１に対して、この短絡ヨーク３０の架橋部３１が、上記の保持部材４０の支持領域４３から外れるように曲がり、こうしてこの短絡ヨークは解放され、上記の第１の電極１０および上記の第２の電極２０に対して押圧される。以上により、上記の第１の電極１０，上記の第２の電極２０，および上記の第３の電極３０は、上記の短絡ヨークを介して上記の第３の電極と導通して互いに接続されている。
【００３５】
既に上述したように、この本発明によるサージ電圧避雷器の３電極避雷器としての実施形態では、上記の金属リング５６は、上記の第１および第２の部分体５４，５５より大きな外径を備え、これによりこの金属リングの縁部５６０は、上記の第１および第２の部分体５４，５５の表面から突出している。図１〜４に示した、３電極避雷器の実施形態によれば、上記の短絡ヨーク３０の保持領域３２は、１つの第１の結合バー（Steg）３２１および１つの第２の結合バー３２２を備え、ここでこの第２の結合バー３２２は、第１の結合バーに対して１つの間隙幅で離間している。上記の短絡ヨーク３０は、具体的には、上記の金属リング５６および上記の保持部材４０が上記の短絡ヨークの保持領域３２の第１の結合バー３２１と第２の結合バー３２２との間に配設されるように、上記の３電極避雷器の空洞体５０に配設されている。上記の短絡ヨークの架橋領域３１は、第１および第２の結合バー３２１，３２２のそれぞれの端部３２５に配設されている。図１および３を参照して示したように、これらの第１および第２の結合バー３２１，３２２は、これら２つの結合バーのそれぞれの当接部３２３の後ろで１つの細い中間結合バー３２６によって互いに結合されている。
【００３６】
上記の短絡ヨーク３０を上記の固定部３２４の領域で上記の保持部材４０に固定するおかげで、本発明によるサージ電圧避雷器では、上記の短絡機構全体が１つの単一の部品のみから成り、この部品をこのサージ電圧避雷器の組立ての際に全て上記の空洞体上に固定することができ、そして上記の３電極避雷器の実施形態では、具体的には上記の空洞体の金属リング５６上に固定することができる。上記の短絡ヨーク３０および上記の保持部材４０から成る上記の短絡機構を用いて、温度が１つの閾値を越えることを検出することが可能であり、そして上記の第１および第２の電極間の短絡を起こさせることが可能である。１つのはんだ玉（Lotpille）が１つの短絡ヨークのこのサージ電圧避雷器の電極（複数）との接触を阻むような短絡機構の実施形態と異なり、温度が上記の閾値の下にある限り、上記の短絡ヨーク３０および保持部材４０から成る短絡機構ではこの短絡は顕著に高速に行われる。これは、はんだ玉の軟はんだが高温でゆっくりと融解するが、これに対し上記の短絡ヨーク３０は、この避雷器の温度が上記の閾値を越える場合、上記の保持部材が曲がった後瞬時に解放されて、サージ電圧避雷器の電極（複数）に当たるからである。この短絡ヨークの高速な動きのおかげで、火花放電の発生が防止され、これにより上記の短絡ヨークの架橋領域３１がこのサージ電圧避雷器の電極（複数）に対して動く間の材料の焼失が防止される。
【符号の説明】
【００３７】
１        ：  サージ電圧避雷器
２，３，４：  導電体路
１０，２０  ：  電極
３０        ：  短絡ヨーク
３１        ：  架橋領域
３２        ：  保持領域
４０        ：  保持部材                                                
４１        ：  保持部材の接触領域
４２        ：  保持部材の曲げられた領域
４３        ：  保持部材の支持領域
５０        ：  空洞体
５１，５２  ：  空洞体の開口部
５３        ：  空洞
５４，５５  ：  空洞体の部分体
５６        ：  金属リング
５７，５８  ：  空洞体の部分体のさらなる開口部
【図１】
0006313469.tif 000002
【図２】
0006313469.tif 000003
【図３】
0006313469.tif 000004
【図４】
0006313469.tif 000005